(57)【要約】【課題】  設置面１と床板１４の隙間を簡単な構造で調整可能にした床板の隙間調整支持具の提供。【解決手段】  本発明は、設置面１に対向する床板１４と、中心孔１１を有する前記床板１４を支持する支持プレート８と、その支持プレート８の中心孔１１を貫通して、垂直に軸支される軸部材４と、その中心に前記軸部材４に螺着される内ネジを有し、その軸部材４の軸線上を昇降する昇降体７と、を具備し、前記昇降体７は、その軸方向の一端部に螺回用の多角面６が形成され、前記螺回用の多角面６の下部に環状溝５が形成され、その環状溝５は前記支持プレート８の前記中心孔１１と嵌着しており、前記螺回用の多角面６を回動することにより、設置面１と床板１４の隙間を調整可能にしたことを特徴とするものである。【選択図】図１
2020023879.tif 000002
【特許請求の範囲】
【請求項１】
設置面（１）に対向して配置される床板（１４）と、
その中心に中心孔（１１）を有し、前記床板（１４）を支持する支持プレート（８）と、
前記支持プレート（８）の中心孔（１１）を貫通して、垂直に軸支される軸部材（４）と、
その中心に前記軸部材（４）に螺着される内ネジを有し、その軸部材（４）の軸線上を昇降する昇降体（７）と、
を具備し、
前記昇降体（７）は、その軸方向の一端部に螺回用の多角面（６）が形成され、
前記螺回用の多角面（６）の下部に環状溝（５）が形成され、その環状溝（５）は前記支持プレート（８）の前記中心孔（１１）と嵌着しており、
前記螺回用の多角面（６）を回動することにより、設置面（１）と床板（１４）の隙間を調整可能にしたことを特徴とする床板の隙間調整支持具。
【請求項２】
請求項１に記載の床板の隙間調整支持具において、
前記昇降体（７）は、端部に段付き部が形成された昇降体本体（１２）と、前記環状溝（５）の上方で、その段付き部に固着される外周が多角形の螺回部材（１３）とからなり、
前記支持プレート（８）の前記中心孔（１１）を前記昇降体本体（１２）の環状溝（５）に嵌着した状態で、その昇降体本体（１２）の前記段付き部に螺回部材（１３）を嵌め合わせた床板の隙間調整支持具。
【請求項３】
請求項２に記載の床板の隙間調整支持具において、
螺回部材（１３）の厚みが、昇降体本体（１２）の厚みより薄く形成された床板の隙間調整支持具。
【請求項４】
請求項１〜請求項３のいずれかに記載の床板の隙間調整支持具において、
前記支持プレート（８）は、支持ブロック（１６）に固定され、その支持ブロック（１６）を介して前記支持プレート（８）が床板（１４）を支持し、
前記支持プレート（８）には前記支持ブロック（１６）に固定するビス孔（２３）を有する床板の隙間調整支持具。
【発明の詳細な説明】
【技術分野】
【０００１】
本発明は、建屋の床板を支持する床板支持具であって、より詳しくは床板の高さレベルを、床板側から調整することができる床板支持具に関する。
【背景技術】
【０００２】
下記特許文献１には、床板側から調整できる床板支持具が記載されている。
この特許文献１の第１実施例の床板支持具は、筒状部材がベースプレートに対して回動するもので、筒状部材に螺着される軸状部材の頂面に軸状部材を螺回するレンチが嵌入する六角孔が設けられる。
さらに軸状部材の外周には、支持プレートが螺着され、この支持プレートは中央に凸状の筒部を有しこの部分には軸状部材と螺合する雌ねじが設けられる。
【０００３】
また、特許文献１の第２実施例の床板支持具は、筒状部材とベースプレートが一体のもので、軸状部材には雄ねじと雌ねじ及び操作部を有する中空ボルトが螺着され、この中空ボルトの雄ねじと螺合する第２ロックナット及び第１実施例と同形状の支持プレートが中空ボルトに螺合されている。
【先行技術文献】
【特許文献】
【０００４】
【特許文献１】特開２０１５−１２１０５３号公報
【発明の概要】
【発明が解決しようとする課題】
【０００５】
１．上記特許文献１に記載の第１実施例及び第２実施例に示される支持プレートは、中央に凸状の筒部と雌ねじの成形を必要とする。しかもこの部分は床板を確実に支持するために適度の厚さ及びねじ長さ（嵌めあい長さ）を確保するための凸状高さが必要とされる。
２．また、上記特許文献１の第２実施例においては、中空ボルトを必要とし、しかも軸状部材に中空ボルトが螺着され、更にこの中空ボルトに第２ロックナット及び支持プレートが螺着される構造となっている。このため構成する部材の数が多くなるばかりか、中空ボルトの雄ねじ外径に応じた強度を有する支持プレートを必要とする。更に中空ボルトに螺合される第２ロックナットの締付けを加味した大きな空間を床板に設けるなどの対応も必要な構造となり、極めて構造が複雑でその製作が面倒である欠点があった。
そこで、本発明は構造が簡単で、製作が容易で且つ、取扱いやすい床板の隙間調整支持具を提供することを課題とする。
【課題を解決するための手段】
【０００６】
請求項１に記載の発明は、設置面（１）に対向して配置される床板（１４）と、
その中心に中心孔（１１）を有し、前記床板（１４）を支持する支持プレート（８）と、
前記支持プレート（８）の中心孔（１１）を貫通して、垂直に軸支される軸部材（４）と、
その中心に前記軸部材（４）に螺着される内ネジを有し、その軸部材（４）の軸線上を昇降する昇降体（７）と、
を具備し、
前記昇降体（７）は、その軸方向の一端部に螺回用の多角面（６）が形成され、
前記螺回用の多角面（６）の下部に環状溝（５）が形成され、その環状溝（５）は前記支持プレート（８）の前記中心孔（１１）と嵌着しており、
前記螺回用の多角面（６）を回動することにより、設置面（１）と床板（１４）の隙間を調整可能にしたことを特徴とする床板の隙間調整支持具である。
【０００７】
請求項２に記載の発明は、請求項１に記載の床板の隙間調整支持具において、
前記昇降体（７）は、端部に段付き部が形成された昇降体本体（１２）と、前記環状溝（５）の上方で、その段付き部に固着される外周が多角形の螺回部材（１３）とからなり、
前記支持プレート（８）の前記中心孔（１１）を前記昇降体本体（１２）の環状溝（５）に嵌着した状態で、その昇降体本体（１２）の前記段付き部に螺回部材（１３）を嵌め合わせた床板の隙間調整支持具である。
【０００８】
請求項３に記載の発明は、請求項２に記載の床板の隙間調整支持具において、
螺回部材（１３）の厚みが、昇降体本体（１２）の厚みより薄く形成された床板の隙間調整支持具である。
【０００９】
請求項４に記載の発明は、請求項１〜請求項３のいずれかに記載の床板の隙間調整支持具において、
前記支持プレート（８）は、支持ブロック（１６）に固定され、その支持ブロック（１６）を介して前記支持プレート（８）が床板（１４）を支持し、
前記支持プレート（８）には前記支持ブロック（１６）に固定するビス孔（２３）を有する床板の隙間調整支持具である。
【発明の効果】
【００１０】
本発明は、軸方向の一端部に螺回用の多角面６が形成された内ねじを有する昇降体７に前記螺回用の多角面６の下部に環状溝５を設け、この環状溝５を支持プレート８の中心孔１１と嵌着させ、更に前記支持プレート８の中心孔１１を貫通して垂直に軸支される軸部材４に前記内ねじで昇降体７を螺合させているものである。
この構造により、昇降体７は床板１４側から工具で螺回用の多角面６を螺回又は保持して軸部材４に対して相対的に上下に移動でき、設置面１に対向して配置される床板１４を容易且つ迅速に所定高さに微調整することができる。
【００１１】
請求項２に記載の発明のように、昇降体７を昇降体本体１２と、多角形の螺回部材１３とから形成し、昇降体７の環状溝５に支持プレート８の中心孔１１を支持した状態で、その先端側に螺回部材１３を嵌め合わせたものからなる場合には、昇降体７と支持プレート８との組み合わせ体を容易に製作できる。
【００１２】
請求項３に記載の発明のように、螺回部材１３の厚みを、昇降体本体１２の厚みより薄くした場合には、床板１４の厚みが薄くても、昇降体７の外周を工具で把持して、それを回し、そのレベル合わせをすることができる。
【図面の簡単な説明】
【００１３】
【図１】本発明の床板支持具の取付手順を（Ａ）〜（Ｃ）に順に示す説明図。
【図２】同支持具の上端部に設けた昇降体７及び支持プレート８並びに支持ブロック    １６の説明図。
【図３】図２のＩＩＩ−ＩＩＩ矢視図。
【図４】昇降体７と支持プレート８との組立て説明図。
【図５】図４のＶ−Ｖ矢視図。
【図６】第２実施例に使用する保持具の説明図。
【発明を実施するための形態】
【００１４】
次に、図面に基づいて本発明の実施の形態につき説明する。
この床板支持具は、一例として建屋のオフィスフロアーの床板を支持し、床下の空間に各種ケーブル、配管等を配置するのに最適な床板支持具に関する。図１は、その床板を支持する手順を順に説明する説明図であり、図２はその要部を示し、昇降体７と支持プレート８と支持ブロック１６との関係を示す説明図である。また、図３は図２のＩＩＩ−ＩＩＩ矢視図である。
【００１５】
この床板支持具２２は、下端にベースプレート２を有する束本体３と、束本体３の雌ねじに螺着された軸部材４と、軸部材４の外周に螺着された昇降体７と、その昇降体７の環状溝５に挟持されて軸線周りに回動する支持プレート８と、支持プレート８に固定された支持ブロック１６とを具備する。そして、軸部材４の中間部には軸部材４と束本体３との間を係止する第１ロックナット９が設けられ、軸部材４の上端部には、軸部材４と昇降体７とを係止する第２ロックナット１０が、図１（Ｃ）の段階で螺着される。
【００１６】
この床板支持具２２は、束本体３が中空に形成され、その上端部が僅かに細い首状に形成され、その首部内に雌ネジが形成されている。また、束本体３の下端にはベースプレート２を有する。そして、軸部材４の外ネジが束本体３の首部の内ネジに螺着されている。また、軸部材４と束本体３との間には、予め第１ロックナット９が螺着されている。
【００１７】
さらに、昇降体７の環状溝５に支持された支持プレート８には予めビス１９を介して支持ブロック１６が固定されている。支持ブロック１６は図２，図３に示す如く、中心に孔１７が貫通し、支持プレート８に設けたビス孔２３にビス１９を介して支持ブロック１６の下面が支持プレート８に固定される。その支持プレート８は、その中心孔１１の孔縁部が、昇降体７に支持される。即ち、中心孔１１の孔縁部の上下両面が昇降体７によって、挟持される。この昇降体７は、昇降体本体１２と螺回部材１３とからなる。即ち、図４において、予め支持プレート８の中心孔１１を昇降体本体１２の環状溝５に嵌着し、次いで、螺回部材１３を昇降体本体１２のパイロット部２１に整合させて歯部２４に圧入して、昇降体７を形成する。この時、環状溝５と中心孔１１とは軸線周りに回転できる程度の隙間が存在する。
【００１８】
（床板支持具２２の設置方法）
このようにしてなる床板支持具２２により、床板１４を設置面１の上方に設置する手順につき説明する。
まず、束本体３とベースプレート２が一体の場合について説明する。図１（Ａ）の如く、ベースプレート２を設置面１上に載置し、ベースプレート２と設置面１との間を接着剤等により固定する。ついで、軸部材４をベースプレート２に対して回動し、支持プレート８を大まかに所定位置まで降下させ、第１ロックナット９を束本体３の端面に対して締め付ける。そうすると、軸部材４は束本体３と一体的に固定される。そして、図１（Ｂ）の如く、その支持ブロック１６上に床板１４を載置し、その孔１８と支持ブロック１６の孔１７とを整合させる。ついで、孔１８及び孔１７内に螺回工具２０を挿入し（図１（Ｂ））、その工具の内部に形成された図示しない六角孔を昇降体７の螺回部材１３の多角面６に嵌着し、その螺回工具２０を回転して、昇降体７を昇降させる。これにより支持プレート８が軸部材４に対して連動して昇降し床板１４の高さレベルを微調整することができる。
【００１９】
ついで、図１（Ｃ）の如く、軸部材４に第２ロックナット１０を螺着させ、その下面を昇降体７の螺回部材１３の上面に締結固定する。なお、この例では、ダブルのロックナットを用いている。ついで、床板１４の上面に化粧板１５を配置して、床板の設置を完了する。
なお、この例では、一つの床板支持具２２のみを説明したが、設置面１上には多数の床板支持具２２が適宜間隔で配置される。そして、各床板支持具２２の上方には床板１４の孔１８が存在し、そこから螺回工具２０を介して、平面上の各部で床板１４の高さ調整が行われる。そして、最後に床板１４上に化粧板１５が配置されるものである。
【００２０】
次に束本体３がベースプレート２に対して回動する第２実施例の場合について説明する。図１（Ａ）の如く、ベースプレート２を設置面１上に載置し、ベースプレート２と設置面１との間を接着剤等により固定する。ついで、束本体３を回転しないように把持しながら軸部材４をベースプレート２に対して回動し、支持プレート８を大まかに所定位置まで降下させ、第１ロックナット９を束本体３の端面に対して締め付ける。そうすると、軸部材４と束本体３は一体的に固定され、ベースプレート２に対して両者は一体的に回転する。
【００２１】
この状態で、図１（Ｂ）の如く、その支持ブロック１６上に床板１４を載置し、その孔１８と支持ブロック１６の孔１７とを整合させる。ついで、孔１８及び孔１７内に螺回工具２０の代わりに図６に示す保持具２５を挿入し、昇降体７の多角面６の一部に嵌着させ昇降体７が回転しないように保持する。続いて軸部材４を回転（この時束本体３もベースプレートに対して一体的に回転する）し相対的に昇降体７を昇降させる。これにより支持プレート８が軸部材４に対して連動して昇降し床板１４の高さレベルを微調整することができる。調整が完了したら軸部材４に第２ロックナット１０を螺着させ、その下面を昇降体７の螺回部材１３の上面に締結固定する。なお、軸部材４には頂面に軸部材４を螺回するためのレンチが嵌入する六角孔等を設けてもよい。
【００２２】
この保持具２５の形状は、図６（Ａ）に示すように板体をクランク状に折り曲げ、一方の端部を握り部２７とし、他方の端部には昇降体７の多角面の一部と整合する切欠き２６を有する。
例えば、昇降体７の多角面が六角形の場合には、少なくとも対辺の２辺と整合する切欠き２６（図６（Ｃ））、もしくはその４辺と整合する切欠き２６（図６（Ｂ））とすればよい。
【００２３】
なお、この例では、図２において比較的薄肉の螺回部材１３が昇降体７の昇降体本体１２の段付き部にカシメ固定されている。それによって、床板１４の板厚が比較的薄い場合でもその多角面６を回動又は保持して床板１４のレベル調整の上下動をより大きく取ることができる。
図２において、昇降体７の昇降体本体１２は、その外周を円形とすることも、螺回部材１３と同様に多角形状にすることもできる。多角形状とした場合には、前記螺回部材１３と昇降体本体１２とを上下逆にしてもよい。
【産業上の利用可能性】
【００２４】
本発明の床板支持具は、スラブ等の設置面から建屋の床板までの高さを、床板側から微調整にレベル出しを行うことが出来る最適なものを提供できる。
【符号の説明】
【００２５】
１  設置面
２  ベースプレート
３  束本体
４  軸部材
５  環状溝
６  多角面
７  昇降体
８  支持プレート
９  第１ロックナット
【００２６】
１０  第２ロックナット
１１  中心孔
１２  昇降体本体
１３  螺回部材
１４  床板
１５  化粧板
１６  支持ブロック
１７  孔
１８  孔
【００２７】
１９  ビス
２０  螺回工具
２１  パイロット部
２２  床板支持具
２３  ビス孔
２４  歯部
２５  保持具
２６  切欠き
２７  握り部
【図１】
2020023879.tif 000003
【図２】
2020023879.tif 000004
【図３】
2020023879.tif 000005
【図４】
2020023879.tif 000006
【図５】
2020023879.tif 000007
【図６】
2020023879.tif 000008